(57)【要約】【課題】  使用者の使用形態を反映させてカスタマイズされたメニュー画面を構成する。【解決手段】  表示部１０に表示されたメニュー画面から所望の機能を選択することができる携帯電話端末であって、表示部１０上の表示領域を、前記メニュー画面を表示する第１の表示画面領域と、使用者の使用形態に応じて作成される第２の表示画面領域とに区別して表示させる表示制御部３１を備える。【選択図】  図２
2005352943.tif 000002
【特許請求の範囲】
【請求項１】
表示部に表示されたメニュー画面から所望の機能を選択することができる情報端末であって、
前記表示部上の表示領域を、前記メニュー画面を表示する第１の表示画面領域と、使用者の使用形態に応じて作成される第２の表示画面領域とに区別して表示させる表示制御部を備える情報端末。
【請求項２】
請求項１記載の情報端末であって、
前記表示制御部は、前記メニュー画面から選択される機能を示す情報を、前記第２の表示画面領域に表示させる情報端末。
【請求項３】
請求項１又は２記載の情報端末であって、
前記機能が選択された選択回数を機能毎に記憶する記憶部を備え、
前記表示制御部は、記憶した前記機能毎の選択回数に応じて、前記機能を示す情報を前記第２の表示画面領域に表示させる情報端末。
【請求項４】
請求項３記載の情報端末であって、
前記表示制御部は、前記機能を示す情報を、前記選択回数が多い順に並び替えて前記第２の表示画面領域に表示させる情報端末。
【請求項５】
請求項２ないし４のいずれか一項記載の情報端末であって、
前記表示制御部は、前記第２の表示画面領域に前記機能へのショートカットを表示させる情報端末。
【請求項６】
請求項２ないし５のいずれか一項記載の情報端末であって、
前記表示制御部は、前記第２の表示画面領域に前記機能を示す画像を表示させる情報端末。
【請求項７】
情報端末の表示部に表示されたメニュー画面から所望の機能を選択するための表示制御プログラムであって、コンピュータを、
前記表示部上の表示領域を、前記メニュー画面を表示する第１の表示画面領域と、使用者の使用形態に応じて作成される第２の表示画面領域とに区別して表示させる表示制御部として機能させるための表示制御プログラム。
【請求項８】
請求項７記載の表示制御プログラムであって、
前記表示制御部は、前記メニュー画面から選択される機能を示す情報を、前記第２の表示画面領域に表示させる表示制御プログラム。
【請求項９】
請求項７又は８記載の表示制御プログラムであって、
前記表示制御部は、前記機能が選択された選択回数を機能毎に記憶した前記機能毎の選択回数に応じて、前記機能を示す情報を前記第２の表示画面領域に表示させる表示制御プログラム。
【請求項１０】
請求項９記載の表示制御プログラムであって、
前記表示制御部は、前記機能を示す情報を、前記選択回数が多い順に並び替えて前記第２の表示画面領域に表示させる表示制御プログラム。
【請求項１１】
請求項８ないし１０のいずれか一項記載の表示制御プログラムであって、
前記表示制御部は、前記第２の表示画面領域に前記機能へのショートカットを表示させる表示制御プログラム。
【請求項１２】
請求項８ないし１１のいずれか一項記載の表示制御プログラムであって、
前記表示制御部は、前記第２の表示画面領域に前記機能を示す画像を表示させる表示制御プログラム。
【発明の詳細な説明】
【技術分野】
【０００１】
本発明は、表示部に表示されたメニュー画面から所望の機能を選択することができる情報端末及びその表示制御プログラムに関する。
【背景技術】
【０００２】
携帯電話端末に代表される小型の電子機器では、近年、高度な集積化技術を背景に高機能化が著しく、それに伴い操作性の向上、即ち、膨大な数の機能の中からより少ない操作で所望の機能の実行に到達できるインターフェース手段の開発が重要となっている。
【０００３】
例えば、機能の種類が多い携帯電話端末などでは、通常、起動時や待機時に表示されるメニュー画面でメニューを選択すると、その下層に設定されているメニュー項目が表示され、更にメニュー項目を選択するとその下層に設定されている機能が表示される。この機能を選択してはじめて当該機能が実行されるようになっている。
【０００４】
従来、上記操作性の向上を目的として、表示部に表示される複数のメニューアイコンの表示位置を操作者が任意に変更できる携帯電話端末や、メニューやその下層に設定されたメニュー項目や機能などを、操作者の選択頻度が高い順番に並べ替えて表示する携帯電話端末などが提案されている（例えば、特許文献１参照）。特に、後者の携帯電話端末によれば、メニュー画面またはその下層のメニュー項目画面や機能画面のそれぞれにおいて、使用頻度の高い機能に係わる項目から順番に表示されるので、より少ない操作で所望の機能を呼び出すことが可能であった。
【０００５】
【特許文献１】特開２００２−第１０１１８１号公報（第２−３頁、第４図）
【発明の開示】
【発明が解決しようとする課題】
【０００６】
しかしながら、上記従来の携帯電話端末では、メニュー画面に表示できる内容が限定されるため、メニュー画面を自分の使い勝手に合わせたいという携帯電話端末の操作者の意向を全て反映させることができないという課題があった。
【０００７】
本発明は、上記事情に鑑みてなされたものであって、使用者の使用形態を反映させてカスタマイズされたメニュー画面を構成できる情報端末を提供することを目的とする。
【課題を解決するための手段】
【０００８】
本発明の情報端末は、表示部に表示されたメニュー画面から所望の機能を選択することができる情報端末であって、前記表示部上の表示領域を、前記メニュー画面を表示する第１の表示画面領域と、使用者の使用形態に応じて作成される第２の表示画面領域とに区別して表示させる表示制御部を備える。上記構成によれば、表示部上の表示領域を、メニュー画面を表示する第１の表示画面領域と、使用者の使用形態に応じて作成される第２の表示画面領域とに区別して表示させる表示制御部を備えることにより、メニュー画面とともに、使用者の使用形態に応じて作成される画面を表示できる為、使用者の使用形態を反映させてカスタマイズされたメニュー画面を構成できる。
【０００９】
また、本発明の情報端末は、前記表示制御部が、前記メニュー画面から選択される機能を示す情報を、前記第２の表示画面領域に表示させるものである。上記構成によれば、表示制御部が、メニュー画面から選択される機能を示す情報を、第２の表示画面領域に表示させることにより、メニュー画面から選択される機能を直感的に把握できる。
【００１０】
また、本発明の情報端末は、前記機能が選択された選択回数を機能毎に記憶する記憶部を備え、前記表示制御部が、記憶した前記機能毎の選択回数に応じて、前記機能を示す情報を前記第２の表示画面領域に表示させるものである。上記構成によれば、表示制御部が、記憶した前記機能毎の選択回数に応じて、機能を示す情報を第２の表示画面領域に表示させることにより、使用者の使用形態を機能毎の使用頻度で把握することができる。
【００１１】
また、本発明の情報端末は、前記表示制御部が、前記機能を示す情報を、前記選択回数が多い順に並び替えて前記第２の表示画面領域に表示させるものである。上記構成によれば、表示制御部が、機能を示す情報を、選択回数が多い順に並び替えて第２の表示画面領域に表示させることにより、どの機能の使用頻度が高いかを直感的に把握できる。
【００１２】
また、本発明の情報端末は、前記表示制御部が、前記第２の表示画面領域に前記機能へのショートカットを表示させるものである。上記構成によれば、表示制御部が、第２の表示画面領域に機能へのショートカットを表示させることにより、第２の表示画面領域に、メニュー項目に含まれる下位の階層へのショートカットを表示できる為、所望の機能を呼び出すための操作を簡略化できる。
【００１３】
また、本発明の情報端末は、前記表示制御部が、前記第２の表示画面領域に前記機能を示す画像を表示させるものである。上記構成によれば、表示制御部が、第２の表示画面領域に機能を示す画像を表示させることにより、メニュー画面から所望の機能を直感的に選択することができる。
【００１４】
また、本発明の表示制御プログラムは、情報端末の表示部に表示されたメニュー画面から所望の機能を選択するための表示制御プログラムであって、コンピュータを、前記表示部上の表示領域を、前記メニュー画面を表示する第１の表示画面領域と、使用者の使用形態に応じて作成される第２の表示画面領域とに区別して表示させる表示制御部として機能させるためのものである。
【００１５】
また、本発明の表示制御プログラムは、前記表示制御部が、前記メニュー画面から選択される機能を示す情報を、前記第２の表示画面領域に表示させるものである。また、本発明の表示制御プログラムは、前記表示制御部が、前記機能が選択された選択回数を機能毎に記憶した前記機能毎の選択回数に応じて、前記機能を示す情報を前記第２の表示画面領域に表示させるものである。また、本発明の表示制御プログラムは、前記表示制御部が、前記機能を示す情報を、前記選択回数が多い順に並び替えて前記第２の表示画面領域に表示させるものである。
【００１６】
また、本発明の表示制御プログラムは、前記表示制御部が、前記第２の表示画面領域に前記機能へのショートカットを表示させるものである。さらに、本発明の表示制御プログラムは、前記表示制御部が、前記第２の表示画面領域に前記機能を示す画像を表示させるものである。
【発明の効果】
【００１７】
本発明によれば、表示部上の表示領域を、メニュー画面を表示する第１の表示画面領域と、使用者の使用形態に応じて作成される第２の表示画面領域とに区別して表示させる表示制御部を備えることにより、メニュー画面とともに、使用者の使用形態に応じて作成される画面を表示できる為、使用者の使用形態を反映させてカスタマイズされたメニュー画面を構成できる。
【発明を実施するための最良の形態】
【００１８】
以下、添付図面を参照しながら本発明の実施形態に係る情報端末について詳細に説明する。尚、以下の実施の形態では、携帯電話端末を情報端末の一例として説明する。また、実施の形態を説明するための全図において、同一機能を有するものは同一符号を付与し、説明は繰り返さないこととする。
【００１９】
図１は、本発明の実施の形態における携帯電話端末の外観を示す図である。図に示すように、携帯電話端末１００は、表示部に表示されたメニュー画面から所望の機能を選択することができるものであり、表示部１０、操作部２０、に加え、送話用のマイクを格納した送話口５１、受話用のスピーカを格納した受話口６１を備える。
【００２０】
表示部１０は、液晶ディスプレイや有機ＥＬディスプレイなどで形成され、携帯電話端末の操作者に入力を促す表示や、その入力に応答した各種の表示を文字や画像等で行う。  操作部２０は、操作キー２１を含む各種のキーやボタン類で構成され、更に、操作キー２１は、上下左右にスクロールを行うナビゲーションキー２２、選択を行うソフトキー２３、テンキー２４を備える。携帯電話端末の操作者は、これらのキーやボタンを操作して入力を行う。
【００２１】
次に、図２は、本発明の実施の形態における携帯電話端末の内部構成を示す図である。  携帯電話端末１００は、上述の表示部１０、操作部２０に加え、制御部３０、記憶部４０、マイク５０、スピーカ６０、無線通信部７０、カメラ部８０を備える。
【００２２】
制御部３０は、携帯電話端末全体の動作を統括制御するブロックで、画面表示に関する制御を行い、表示部１０上の表示領域を、メニュー画面を表示する第１の表示画面領域と、使用者の使用形態に応じて作成される第２の表示画面領域とに区別して表示させる表示制御部３１と、画面表示制御に用いる、機能の使用頻度データを更新する履歴更新制御部３２とを含む。表示制御部３１は、表示部１０の画面上に表示するメニューアイコンやショートカットアイコンなどの表示構成を制御する。また、履歴更新制御部３２は、後述する使用頻度データ管理テーブルの更新を制御する。制御部３０は、予め携帯電話端末内に格納された各種の制御用プログラムを実行することにより制御動作を実現する。表示制御部３１や履歴更新制御部３２も、メニュー表示プログラムや使用頻度データ更新プログラムを実行して、メニュー表示や使用頻度データ更新の制御を行う。尚、ショートカットとは、メニューの構造が、上位の階層に属する機能（項目）に、互いに関連する少なくとも１つの機能が従属する階層構造である場合に、ある階層に属する項目の下位に属する機能を直接選択可能なものであり、ある項目の直下ではない階層に属する機能を直接選択できるものである。
【００２３】
記憶部４０は、メモリで構成され各種データを格納する。特に、携帯電話端末の機能が選択された回数（使用頻度）を機能毎に管理する使用頻度データ管理テーブル４１や、メニューやショートカットに対応する（メニューやショートカットの情報を示す）アイコンの画像データなどを管理するイメージデータ管理テーブル４２は、表示制御部３１が画面表示の制御を行う際に用いる。また、上述の制御用プログラムやアイコンの画像データ、その他のアプリケーションプログラムなどもこの記憶部に格納される。尚、使用頻度データ管理テーブル４１及びイメージデータ管理テーブル４２の詳細については後述する。
【００２４】
マイク５０やスピーカ６０は、携帯電話端末の電話機能において送話や受話を行うための手段であり、無線通信部７０は、無線通信により電話や電子メール等の送受信を行う。  また、カメラ部８０は、デジタルカメラで構成され、被写体の撮像並びに生成した画像データの保存、送出などを行う。尚、電話や電子メールの送受信方法や、デジタルカメラの撮像方法並びに画像データ保存、送出方法等は公知の手法を用いてよく、従って無線通信部７０及びカメラ部８０の詳細な構成及び動作については説明を省略する。
【００２５】
次に、上記構成の携帯電話端末のメニュー表示動作について詳細に説明する。
【００２６】
図３は、本発明の実施の形態における携帯電話端末のメニュー表示動作の手順を示すフローチャートである。はじめに、携帯電話端末の電源投入時または待ち受け時に、操作キー２１の所定のキーを押下するなどしてメニュー画面を表示させるための操作を行うと、表示制御部３１はスクロールラウンチャというメニュー表示プログラムを起動させる（ステップＳ１０１）。
【００２７】
図４は、本発明の実施の形態における携帯電話端末の、メニュー表示プログラム起動時における画面表示例を示す模式図である。図に示すように、スクロールラウンチャが起動すると、画面右側（第１の表示画面領域）に、アイコン２０１、２０２、２０３を含む９個のメニューアイコンが環状に配置して表示される。これら９個のアイコンは、ナビゲーションキー２２の上下キーを上／下に押下するごとに、反時計周り／時計回りに位置が１つずつ移動するようになっている。また、このメニューアイコンの表示領域（第１の表示画面領域）の中央部にはフレーム２００があり、このフレーム位置にあるメニューについては、拡大画像（または詳細画像）のアイコン２１１と、当該メニューの名前を示すテキスト２２１とが、その左側の表示領域（第２の表示画面領域）に表示される（ステップＳ１０２）。本実施の形態の携帯電話端末のデフォルト設定では、図に示すように「My Phone」のメニューアイコン２０１がフレーム２００内に最初に表示されるようになっているので、「My Phone」の拡大表示のアイコン２１１と「My Phone」のタイトルテキスト２２１が左側に表示される。
【００２８】
次に、表示制御部３１は、メニューアイコンの移動（シフト）を行うナビゲーションキー２２の押下を検知する（ステップＳ１０３）。携帯電話端末の操作者がナビゲーションキー２２の上下キーを押下すると、押下した回数だけメニューアイコンが上下に移動するので、左側の表示領域の表示も変化する（ステップＳ１０２）。例えば、図４に示す表示例の状態から、ナビゲーションキー２２の下方向キーを２回押下すると、メニューアイコンが２個分下方向（時計周り）にシフトするので、ゲームのメニューアイコン２０３がフレーム２００内に移動して、その拡大アイコンとタイトルテキストが表示されることになる。
【００２９】
次に、表示制御部３１は、メニューの選択を行うソフトキー２２の右方向のキー押下を検知する（ステップＳ１０４）。押下を検知した場合、その時点でフレーム２００内にあるメニューの選択を確定して、次の手順へ移行する。一方、メニューが選択されない場合はステップＳ１０３に戻り、上述の手順を繰り返す。図５に、ソフトキー２２，２３を押下した場合のキー押下と画面遷移との対応例を示す。尚、図５に示すように、ソフトキー２３を押下してメニューを選択する場合、９コマのラウンチャで選択した時と同様の第２階層をリスト表示する画面遷移となる。
【００３０】
例えば、「My Phone」というメニューが選択された場合、表示部１０は、図６に示すような表示に変化する。図６は、本発明の実施の形態における携帯電話端末の、メニュー選択時における画面の表示例を示す模式図である。図４で画面の右側領域に表示されていた９つのアイコンの一部とフレーム２００は画面の左側領域（第１の表示画面領域）に移動し、「My Phone」メニューの下層となるメニュー項目のアイコン２３１、２３２、２３３が、画面右側（第２の表示画面領域）に順番に大きく３つ表示され、その中の一番左側のメニュー項目のタイトル２４１も表示される。メニュー項目のアイコン２３１、２３２、２３３がこのような順番で表示される理由については後述する。
【００３１】
ここで、本実施の形態の携帯電話端末のメニュー構成例について説明する。図７は、本発明の実施の形態における携帯電話端末の機能に係わるメニュー構成を説明するための模式図である。図に示すように、「My Phone」をはじめとする９個のメニュー（第１階層）はそれぞれ下層に複数のメニュー項目（第２階層）を含み、更に、メニュー項目はそれぞれ下層に複数の機能（第３階層）を含む。例えば、「My Phone」メニューは、「Display」や「Sounds」などのメニュー項目で構成され、メニュー項目「Sounds」の下層には、「Volume」や「Key tone」などの複数の機能が割り当てられている。この機能を指定することにより、当該機能の動作を実現することができる。
【００３２】
図３のフローチャートに戻り、ステップＳ１０４で任意のメニューの選択が確定すると、表示制御部３１は、記憶部４０に格納されている使用頻度データ管理テーブル４１を参照し、使用頻度の高いメニュー項目を照会する（ステップＳ１０５）。図８は、本発明の実施の形態における携帯電話端末の使用頻度データ管理テーブルを概念的に示す図である。使用頻度データ管理テーブルは、操作者が過去に使用した機能の累積回数を機能ごと、メニュー項目ごとに、カウントしたテーブルである。後述するが、この使用頻度データ管理テーブルは、携帯電話端末の操作者が機能の呼び出しを行う度にカウント値が更新される。図４の表示例で説明すると、「My Phone」が選択されると、表示制御部３１は図８に示す使用頻度データ管理テーブルの「My Phone」の部分を参照し、使用頻度が高いメニュー項目は「Sounds」、「Display」、「Profile」の順番であることを把握する。但し、携帯電話端末の最初の電源投入時など、この管理テーブルにデータが格納されていないような場合には順番が把握できないため、暫定的にメニュー項目の設定順序を順番として採用する（デフォルト設定）。即ち、図８のテーブルの場合、「Display」、「Profile」、「Sounds」の順番となる。尚、図６は、デフォルト設定における表示例を示している。
【００３３】
次に、表示制御部３１は、記憶部４０に格納されているイメージデータ管理テーブル４２を参照し、把握したメニュー項目に対応するアイコンの画像データとテキストデータを照会する（ステップＳ１０６）。図９は、本発明の実施の形態における携帯電話端末のイメージデータ管理テーブルを概念的に示す図である。イメージデータ管理テーブルは、メニュー項目に対応するアイコン画像のデータファイル名とテキストデータを関連付けたテーブルである。例えば、「Display」アイコンの画像ファイルはX00XX1.XXXでテキストは「Display」、「Profile」アイコンの画像ファイルはX00XX2.XXXでテキストは「Profile」、「Sounds」アイコンの画像ファイルはX00XX3.XXXでテキストは「Sounds」、であることが照会できる。なお、イメージデータだけでなく、テキストデータも一つのＩＤとして登録しておくことにより、テキスト一つ一つもＩＤ管理される為、言語変更に柔軟に対応できる。
【００３４】
次に、表示制御部３１は、上述の手順で把握した画像ファイルとテキストデータを記憶部４０から取得し（ステップＳ１０７）、表示部１０の右側の画面領域にショートカットアイコンとテキストを表示する（ステップＳ１０８）。ショートカットアイコンは、使用頻度の高い（記憶部４０が記憶した機能毎の選択回数の多い）ものから順番に３個を左から表示する。尚、デフォルト設定では、３つのアイコンのうち一番左のアイコンにカーソル位置を合わせるようにしているので、その左のアイコンに対応するテキストが下方に表示される（図６参照）。
【００３５】
この表示状態で、表示制御部３１はカーソルのシフトを行うナビゲーションキー２２の押下を検知する（ステップＳ１０９）。シフトが検知された場合、カーソルのシフトを認知させるためのアイコンの表示（本実施の形態の場合、カーソル位置のショートカットアイコンを周囲に比べて僅かに大きく表示している）と、そのメニュー項目に対応するテキストの表示を行う（ステップＳ１０８）。
【００３６】
例えば、図６に示す表示例の状態で、ナビゲーションキー２２の右方向キーを１回押下すると、カーソルが左のショートカットアイコン２３１の位置から中央の「Profile」ショートカットアイコン２３２の位置へ移動するので、図１０に示すように中央のショートカットアイコン２３２が大きく表示され、テキストも「Display」から「Profile」に変化する。同様に、図１０に示す表示例の状態で、ナビゲーションキー２２の右方向キーを更に１回押下すると、カーソルが中央のショートカットアイコン２３２の位置から右の「Sounds」ショートカットアイコン２３３の位置へ移動するので、図１１に示すように右のショートカットアイコン２３３が大きく表示され、テキストも「Profile」から「Sounds」に変化する。
【００３７】
一方、ステップＳ１０９においてカーソルのシフトが検知されない場合、次に表示制御部３１は、メニュー項目の選択を行うソフトキー２３の押下を検知する（ステップＳ１１０）。押下を検知した場合、その時点でカーソル位置にあるメニュー項目の選択を確定して、次の手順に移行する。一方、メニュー項目が選択されない場合、表示制御部３１は他のキーの押下を検知する（ステップＳ１１１）。他のキーの押下を検知した場合、当該キーの押下に対応する動作を行って（ステップＳ１１２）、メニュー表示動作を終了する。尚、他のキーの押下が検知されない場合はステップＳ１０９に戻り、表示制御部３１は、カーソルのシフトの検知を行う手順を繰り返す。尚、画面遷移の詳細については、図５に示す。
【００３８】
ステップＳ１１０で任意のメニュー項目の選択が確定すると、表示制御部３１は、上述と同様の手順で記憶部４０に格納されている使用頻度データ管理テーブルを参照し（ステップＳ１１３）、メニュー項目の下層に設定された「機能」のリスト表示を行う（ステップＳ１１４）。図１２は、本発明の実施の形態における携帯電話端末の、メニュー項目選択時における機能のリスト表示例を示す模式図である。図では、メニュー項目「Sounds」に関連する機能がアイコンではなくテキストで上から順番にリスト表示されている。勿論、この順番は使用頻度データ管理テーブル４１の参照結果に基づいて使用頻度の高い順番に並べられている。
【００３９】
表示されているテキストは、当該機能へのショートカットであり、携帯電話端末の操作者が、ナビゲーションキー２２の上下キーで所望のテキストにカーソルを合わせ、ソフトキー２３を押下して選択すると、制御部３０は当該機能の実行へ動作制御を移行する。尚、ここではテキストのリスト表示としたが、メニュー項目の表示の場合と同じように、所定数のショートカットアイコンを表示させ、これを選択するようにしてもかまわない。  以上で、表示制御部３１が実行する一連のメニュー表示動作が終了する。
【００４０】
次に、上記構成の携帯電話端末の使用頻度データ更新動作について詳細に説明する。
【００４１】
図１３は、本発明の実施の形態における携帯電話端末の、使用頻度データ管理テーブルの更新動作の手順を示すフローチャートである。はじめに、履歴更新制御部３２は、携帯電話端末の最初の電源投入時に（ステップＳ２０１）、図８に示す使用頻度データ管理テーブルの回数欄をすべて空欄（または空欄を示すコードを格納した状態）とする初期化を行う（ステップＳ２０２）。
【００４２】
次に、履歴更新制御部３２は、機能を選択するキー操作の監視を開始する（ステップＳ２０３）。機能を選択するキー操作であるか否かは、ショートカットアイコンやリストが表示部１０に表示されている時にソフトキー２２の右方向キーの押下の有無を検知することで判断される（ステップＳ２０４）。このソフトキー２２の押下が検知された場合、履歴更新制御部３２は、記憶部４０に格納されている使用頻度データ管理テーブル４１の所定の機能の回数欄に１を追加してデータの更新を行う（ステップＳ２０５）。
【００４３】
次に、履歴更新制御部３２は、操作部２０の所定のキーの押下などにより、使用頻度データ管理テーブルの回数欄のリセットが要求されていないかどうかを判断し（ステップＳ２０６）、リセット要求がある場合は、ステップＳ２０２に戻ってデータ初期化の手順を繰り返す。一方、リセット要求がない場合はステップＳ２０３に戻って、機能を選択するためのキー操作の監視を続行する。
【００４４】
尚、携帯電話端末の通常の電源投入時には（ステップＳ２０７）、履歴更新制御部３２は、使用頻度データ管理テーブル４１の初期化は行わず、ステップＳ２０３のキー押下の監視から開始する。
【００４５】
以上のように、機能の呼び出しが行われる度に使用頻度データ管理テーブル４１が更新されるため、使用状況に応じて、その時に最も使い勝手が良好となるようにメニュー項目のショートカットアイコンの表示レイアウトが変化し、使用者の使用形態に応じて画面が作成されるする。例えば、図６に示す表示例の状態以降に、メニュー項目「Sounds」の機能が頻繁に呼び出された場合、図１４に示すように、「Sounds」ショートカットアイコン２３３の位置が右から中央へ移動して「Profile」ショートカットアイコン２３２の位置と入れ替わる。もし、更にメニュー項目「Sounds」の機能が頻繁に呼び出された場合、図１５に示すように、「Sounds」ショートカットアイコン２３３の位置が中央から一番左へ移動して「Display」ショートカットアイコン２３１の位置と入れ替わる。
【００４６】
従って、次に再び「Sounds」の機能を呼び出したい場合、「My Phone」メニューを選択すれば、最初のカーソル位置である一番左側に「Sounds」のショートカットアイコンが表示されるので、ナビゲーションキー２２の操作を全く行わずに、ソフトキー２３の１回の押下だけで「Sounds」の機能のリスト表示に到達することができる。つまり、ソフトキー２３の合計２回の押下だけで機能のリストが表示でき、所望の機能をより少ないキー操作で実行させることができる。
【００４７】
その他にも、例えば、メニュー項目「Shortcut key」に属する機能を頻繁に呼び出した場合は、その使用状況に応じて、図１６に示すようなショートカットアイコンの表示レイアウトに徐々に変化する。このように、携帯電話端末の操作者個人の使用状況に応じて、その時の使い勝手が良好となるように自動的にショートカットアイコンやテキストの表示構成がカスタマイズされる。このように、メニュー画面とともに、使用者の使用形態に応じて作成される画面を表示できる為、使用者の使用形態を反映させてカスタマイズされたメニュー画面を構成できる。
【００４８】
ところで、上記では図８に示す使用頻度データ管理テーブルを用いて使用頻度の累積カウントを行ったが、図１７に示すようなより簡単な構成の使用頻度データ管理テーブルを用いてもよい。図１７は、リングバッファ状に構成されたテーブルに所定個数の機能名データ（または機能コードでもよい）を順次格納することにより機能の使用頻度を確認する管理テーブルを概念的に示す図である。この管理テーブルの各マトリックスは、初期状態では、データが格納されていない（またはデータ無しである旨を示すコードが格納された）状態となっている。そして、任意の機能の呼び出しが行われる度に、呼び出された機能の名称、メニュー項目名、メニュー名のデータ（またはコード）がテーブルの上段から順次格納される。管理テーブルはリングバッファ状に構成されているので、すべての行にデータが格納されると（即ち、図では２０行分すべてのデータが格納されると）、書き込みポインタが先頭行へ戻り、１行目から順次データを上書きする。そのため、管理テーブルには常時最も直近に呼び出された機能が２０個分格納された状態となる。メニュー項目のショートカットアイコンを表示する場合、表示制御部３１は、記憶部４０に格納されたこの使用頻度データ管理テーブルを参照し、格納されている数の高い３つのメニュー項目または機能を把握して、左から順番に該当するショートカットアイコンを表示すればよい。尚、この管理テーブルは図８のそれに比較して構成が簡単であるためデータが少量で済み、記憶部４０のメモリ容量を節約できるという利点もある。
【００４９】
尚、上記の実施の形態では、メニューを選択すると左側の画面領域にメニューアイコン、右側の画面領域にメニュー項目のショートカットアイコンを表示し、更にメニュー項目を選択すると機能のリストを表示する構成としたが、使用頻度データ管理テーブルの機能ごとの使用頻度データを利用して、右側の画面領域に直接、機能へのショートカットを表示する構成としてもよい。また、機能へのショートカットはテキストのリストであってもアイコンであってもよいが、アイコンの場合は、機能ごとにそれに対応するショートカットアイコンの画像ファイルを用意しておく必要がある。
【００５０】
尚、上記の実施の形態では、右側の画面領域に表示するショートカットアイコンを３個としたが、必ずしもこれにとらわれるものではなく、表示部の形状や大きさに合わせて適宜表示個数を増減させてよいことは言うまでもない。また、メニューアイコンと、メニュー項目または機能のショートカットアイコンまたはリストとの表示位置関係も上記実施の形態にとらわれるものではなく、表示領域を、メニュー画面を表示する領域と、使用者の使用形態に応じて作成される領域とに区別して表示させる形態であれば、本発明の要旨を満たすものであることは言うまでもない。
【産業上の利用可能性】
【００５１】
本発明の情報端末は、表示部上の表示領域を、メニュー画面を表示する第１の表示画面領域と、使用者の使用形態に応じて作成される第２の表示画面領域とに区別して表示させる表示制御部を備えることにより、メニュー画面とともに、使用者の使用形態に応じて作成される画面を表示できる為、使用者の使用形態を反映させてカスタマイズされたメニュー画面を構成できる効果を有し、表示部に表示されたメニュー画面から所望の機能を選択することができる情報端末等に有用である。
【図面の簡単な説明】
【００５２】
【図１】本発明の実施の形態における携帯電話端末の外観を示す図
【図２】本発明の実施の形態における携帯電話端末の内部構成を示す図
【図３】本発明の実施の形態における携帯電話端末の、メニュー表示動作の手順を示すフローチャート
【図４】本発明の実施の形態における携帯電話端末の、メニュー表示プログラム起動時における画面表示例を示す模式図
【図５】本発明の実施の形態における携帯電話端末の、キー押下と画面遷移との対応例を示す説明図
【図６】本発明の実施の形態における携帯電話端末の、メニュー選択時における画面の表示例を示す模式図
【図７】本発明の実施の形態における携帯電話端末の機能に係わるメニュー構成を説明するための模式図
【図８】本発明の実施の形態における携帯電話端末の使用頻度データ管理テーブルを概念的に示す図
【図９】本発明の実施の形態における携帯電話端末のイメージデータ管理テーブルを概念的に示す図
【図１０】本発明の実施の形態における携帯電話端末の、メニュー選択時における画面の表示例を示す模式図
【図１１】本発明の実施の形態における携帯電話端末の、メニュー選択時における画面の表示例を示す模式図
【図１２】本発明の実施の形態における携帯電話端末の、メニュー項目選択時における機能のリスト表示例を示す模式図
【図１３】本発明の実施の形態における携帯電話端末の、使用頻度データ管理テーブルの更新動作の手順を示すフローチャート
【図１４】本発明の実施の形態における携帯電話端末の、メニュー選択時における画面の表示例を示す模式図
【図１５】本発明の実施の形態における携帯電話端末の、メニュー選択時における画面の表示例を示す模式図
【図１６】本発明の実施の形態における携帯電話端末の、メニュー選択時における画面の表示例を示す模式図
【図１７】他の使用頻度データ管理テーブルを概念的に示す図
【符号の説明】
【００５３】
１０  表示部
２０  操作部
２１  操作キー
２２  ナビゲーションキー
２３  ソフトキー
２４  テンキー
３０  制御部
３１  画像表示制御部
３２  履歴更新制御部
４０  記憶部
４１  使用頻度データ管理テーブル
４２  イメージデータ管理テーブル
５０  マイク
５１  送話口
６０  スピーカ
６１  受話口
７０  無線通信部
７１  アンテナ
８０  カメラ部
１００  携帯電話端末
２００  メニューアイコンフレーム
２０１  「My Phone」メニューアイコン
２１１  「My Phone」メニュー拡大アイコン
２２１  「My Phone」メニューテキスト
２３１  「Display」ショートカットアイコン
２３２  「Profile」ショートカットアイコン
２３３  「Sounds」ショートカットアイコン
２３４  「Shortcut key」ショートカットアイコン
２４１  「Display」メニュー項目テキスト
２４２  「Profile」メニュー項目テキスト
２４３  「Sounds」メニュー項目テキスト
２４４  「Shortcut key」メニュー項目テキスト
２５１  「Volume」機能テキスト
２５２  「Ring tone」機能テキスト
２５３  「Message tone」機能テキスト
【図１】
2005352943.tif 000003
【図２】
2005352943.tif 000004
【図３】
2005352943.tif 000005
【図４】
2005352943.tif 000006
【図５】
2005352943.tif 000007
【図６】
2005352943.tif 000008
【図７】
2005352943.tif 000009
【図８】
2005352943.tif 000010
【図９】
2005352943.tif 000011
【図１０】
2005352943.tif 000012
【図１１】
2005352943.tif 000013
【図１２】
2005352943.tif 000014
【図１３】
2005352943.tif 000015
【図１４】
2005352943.tif 000016
【図１５】
2005352943.tif 000017
【図１６】
2005352943.tif 000018
【図１７】
2005352943.tif 000019